(57)【要約】【課題】ユーザがライブビュー画像の一部の領域を拡大すると、被写体像および補助線の相対的な位置関係は、拡大前後で異なってしまう。そのため、ユーザは、構図の水平、垂直を正しく判断することができない。【解決手段】表示制御装置は、画像と、画像に重畳する補助線とを表示器に表示させる表示制御部と、表示された撮影画像の表示倍率を変更する変更指示を受け付ける受付部とを備え、表示制御部は、受付部が変更指示を受け付けた場合には、画像と補助線の相対的な位置関係を維持して、変更された表示倍率による画像と補助線とを表示器に表示させる。【選択図】図６
2013090241.tif 000002
【特許請求の範囲】
【請求項１】
ライブビュー画像と、前記ライブビュー画像に重畳する補助線とを表示器に表示させる表示制御部と、
表示された前記ライブビュー画像の表示倍率を変更する変更指示を受け付ける受付部と
を備え、
前記表示制御部は、前記受付部が前記変更指示を受け付けた場合には、前記ライブビュー画像と前記補助線の相対的な位置関係を維持して、変更された前記表示倍率による前記ライブビュー画像と前記補助線とを表示器に表示させる表示制御装置。
【請求項２】
前記受付部は、前記表示器における前記補助線の表示位置の移動を受け付ける請求項１に記載の表示制御装置。
【請求項３】
前記表示制御部は、前記補助線の他に参考線を前記表示器に表示させる請求項１または２に記載の表示制御装置。
【請求項４】
前記表示制御部は、前記受付部が拡大指示を受け付けた場合には、前記拡大指示の前後において前記参考線の線数変化が予め定められた範囲内となるように前記参考線を前記表示器に表示させる請求項３に記載の表示制御装置。
【請求項５】
前記表示制御部は、前記表示器に対して前記参考線の表示位置を変更しない請求項３に記載の表示制御装置。
【請求項６】
前記表示制御部は、前記受付部が前記変更指示を受け付けた場合には、前記補助線の表示態様を変化させる請求項１から５のいずれか１項に記載の表示制御装置。
【請求項７】
前記表示制御部は、前記受付部が前記変更指示を受け付けた場合には、視覚効果を生じさせる画像処理が施された前記ライブビュー画像を前記表示器に表示させる請求項１から６のいずれか１項に記載の表示制御装置。
【請求項８】
前記ライブビュー画像を取得するための撮像部と、
請求項１から７のいずれか１項に記載の表示制御装置と
を備える撮像装置。
【請求項９】
前記表示制御部が、変更された前記表示倍率による前記ライブビュー画像を前記表示器に表示させている期間は、前記撮像部へ被写体像を結像させる光学系の動作を禁止する撮影制御部を備える請求項８に記載の撮像装置。
【請求項１０】
前記補助線が合焦評価領域と交差しないように前記合焦評価領域を変更する合焦制御部を備える請求項８または９に記載の撮像装置。
【請求項１１】
ライブビュー画像と、前記ライブビュー画像に重畳する補助線とを表示器に表示させる表示ステップと、
表示された前記ライブビュー画像の表示倍率を変更する変更指示を受け付ける受付ステップと、
前記変更指示を受け付けた場合に、前記ライブビュー画像と前記補助線の相対的な位置関係を維持して、変更された前記表示倍率による前記ライブビュー画像と前記補助線とを表示器に表示させる表示変更ステップと
をコンピュータに実行させる表示制御プログラム。
【発明の詳細な説明】
【技術分野】
【０００１】
本発明は、表示制御装置、撮像装置および表示制御プログラムに関する。
【背景技術】
【０００２】
横線、縦線等の補助線を、表示部に表示されているライブビュー画像に重ねて表示させるカメラが知られている。
［先行技術文献］
［特許文献］
［特許文献１］特開２００２−２９０７８０号公報
【発明の概要】
【発明が解決しようとする課題】
【０００３】
ユーザは、ライブビュー画像として表示された被写体像である建築物の水平部分あるいは垂直部分を補助線と比較して、構図の水平、垂直を決定する。この場合に、ユーザがライブビュー画像の一部の領域を拡大すると、補助線が表示されないか、補助線が表示されたとしても被写体像および補助線の相対的な位置関係は拡大前後で異なってしまう。そのため、ユーザは、構図の水平、垂直を正しく判断することができない。
【課題を解決するための手段】
【０００４】
本発明の第１の態様における表示制御装置は、ライブビュー画像と、ライブビュー画像に重畳する補助線とを表示器に表示させる表示制御部と、表示されたライブビュー画像の表示倍率を変更する変更指示を受け付ける受付部とを備え、表示制御部は、受付部が変更指示を受け付けた場合には、ライブビュー画像と補助線の相対的な位置関係を維持して、変更された表示倍率によるライブビュー画像と補助線とを表示器に表示させる。
【０００５】
また、本発明の第２の態様におけるライブビュー装置は、ライブビュー画像を取得するための撮像部と、上述の表示制御装置とを備える。
【０００６】
また、本発明の第３の態様における表示制御プログラムは、ライブビュー画像と、ライブビュー画像に重畳する補助線とを表示器に表示させる表示ステップと、表示されたライブビュー画像の表示倍率を変更する変更指示を受け付ける受付ステップと、変更指示を受け付けた場合に、ライブビュー画像と補助線の相対的な位置関係を維持して、変更された表示倍率によるライブビュー画像と補助線とを表示器に表示させる表示変更ステップとをコンピュータに実行させる。
【０００７】
なお、上記の発明の概要は、本発明の必要な特徴の全てを列挙したものではない。また、これらの特徴群のサブコンビネーションもまた、発明となりうる。
【図面の簡単な説明】
【０００８】
【図１】本実施形態に係るカメラの背面斜視図である。
【図２】本実施形態に係るカメラのブロック図である。
【図３】ライブビュー画像に対する補助線の表示処理を説明する図である。
【図４】補助線の表示態様の切替処理を説明する図である。
【図５】補助線の移動処理を説明する図である。
【図６】ライブビュー画像および補助線の拡大表示処理を説明する図である。
【図７】ライブビュー画像および補助線の拡大表示処理における演算処理を説明する図である。
【図８】拡大表示状態における補助線の移動処理を説明する図である。
【図９】本実施形態に係るカメラの撮影処理のフロー図である。
【図１０】参考線の第１の表示処理を説明する図である。
【図１１】参考線の第２の表示処理を説明する図である。
【図１２】合焦評価領域の変更処理を説明する図である。
【発明を実施するための形態】
【０００９】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【００１０】
図１は、本実施形態に係る撮像装置としてのカメラ１０の背面斜視図である。ここでは、レンズ交換式カメラを例に説明する。カメラ１０は、カメラ本体３０に交換レンズ２０が装着されて構成される。カメラ本体３０には、焦点距離、開放Ｆ値等の異なる複数の交換レンズ２０が交換可能に装着される。交換レンズ２０は、その鏡筒内に、光軸に沿って配列された光学系を備える。光学系には、フォーカスレンズ、ズームレンズが含まれる。
【００１１】
カメラ本体３０の背面には、背面モニタ３１が設けられている。背面モニタ３１には、撮影された画像データの画像表示の他、カメラ１０の各種設定に関する様々な設定情報、メニュー項目等も表示される。また、背面モニタ３１には、撮像素子の受光面に結像する被写体像を逐次光電変換して取得されたライブビュー画像が表示される。カメラ本体３０の上面左側には、上面モニタ３２が設けられている。上面モニタ３２には、シャッタスピード、絞り値、ＩＳＯ感度等の撮影情報が表示される。
【００１２】
カメラ本体３０には、複数の操作部材が設けられている。カメラ本体３０の上面右側には、撮影指示を受け付けるレリーズボタン３３、撮影モードの切り替えを受け付ける撮影モードダイヤル３４、ズームレンズをモータで駆動して画角を調整するためのズームレバー３５が配置されている。背面モニタ３１の右側には、マルチセレクタ３６、電源スイッチ３７が配置されている。マルチセレクタ３６は、背面モニタ３１に表示されたカーソル等の移動に用いられる十字ボタンと、カーソルで選択された項目の機能等を実行させる決定ボタンとにより構成される。電源スイッチ３７は、カメラ１０の電源のオン／オフの切り替えを受け付ける操作部材である。
【００１３】
背面モニタ３１の左上側には、メモリカード等に記録された画像ファイルを再生する再生ボタン３８、画像ファイルを削除する削除ボタン３９、様々な設定項目を背面モニタ３１に表示させるメニューボタン４０が配置されている。また、背面モニタ３１の左側には、背面モニタ３１の表示画像を拡大させる拡大ボタン４１、背面モニタ３１の表示画像を縮小させる縮小ボタン４２が配置されている。また、背面モニタ３１の左下側には、背面モニタ３１の表示画像に補助線を重畳表示させる補助線ボタン４３、拡大された画像データをメモリに記録させる拡大記憶ボタン４４が配置されている。
【００１４】
カメラ本体３０の背面には、背面コマンドダイヤル４５が配置されている。また、カメラ本体３０の前面には、前面コマンドダイヤル４６が配置されている。背面コマンドダイヤル４５および前面コマンドダイヤル４６には、絞り値設定の機能、シャッタスピード設定の機能等の各種機能がメニュー項目で予め割り当てられる。また、他の操作部材が押されている状態において、当該他の操作部材に関連する機能が背面コマンドダイヤル４５および前面コマンドダイヤル４６に割り当てられてもよい。例えば、補助線ボタン４３が押されている状態において、背面モニタ３１に表示中の補助線の表示態様を変更する機能が背面コマンドダイヤル４５および前面コマンドダイヤル４６に割り当てられる。
【００１５】
図２は、本実施形態に係るカメラ１０のブロック図である。システム制御部１００は、カメラ１０の各要素を直接的または間接的に制御する。撮影レンズ１０１は、交換レンズ２０内に配置され、フォーカスレンズ、ズームレンズで構成される。絞り駆動回路１０３は、交換レンズ２０内に配置された絞り機構１０２の絞り羽根を駆動する。
【００１６】
ミラー機構１０４は、交換レンズ２０からの被写体光束を反射してファインダ光学系へ導く反射位置と、交換レンズ２０からの被写体光束が撮像素子１０８に入射するように退避する退避位置とで揺動するメインミラーを備える。また、ミラー機構１０４は、メインミラーの一部の半透過領域を透過した被写体光束を位相差ＡＦ素子１２０に向けて反射するサブミラーを備える。ミラー駆動回路１０５は、システム制御部１００の制御の下、ミラー機構１０４を駆動する。
【００１７】
反射位置に配置されたメインミラーの後方には、光軸に沿って、シャッタ１０６、撮像素子１０８が配列されている。シャッタ駆動回路１０７は、シャッタ１０６を駆動して、撮像素子１０８へ導く光の量を調整する。撮像素子１０８は、例えばＣＣＤ、ＣＭＯＳセンサなどの光電変換素子であり、受光面で結像した被写体像を電気信号に変換する。本実施形態において、撮像素子１０８は、画像を取得するための撮像部の少なくとも一部として機能する。
【００１８】
画像処理回路１０９は、撮像素子１０８で光電変換された被写体像をアナログ信号からデジタル信号に変換し、変換した被写体像に画像処理を施して画像データを生成する。圧縮／伸長回路１１０は、画像処理回路１０９が生成した画像データを、規格化された画像フォーマットの画像ファイルに圧縮する。また、圧縮／伸長回路１１０は、画像ファイルの再生時に、メモリカード１１３に記録されている画像ファイルを伸長する。
【００１９】
メモリ１１１は、高速で読み書きのできるＤＲＡＭ、ＳＲＡＭ等で構成され、画像処理回路１０９が行う画像処理、圧縮／伸長回路１１０が行う処理において、ワークメモリとしての役割を担う。圧縮／伸長回路１１０の圧縮処理によって生成された画像データは、メモリ１１１からカードコネクタ１１２を介して、メモリカード１１３に記録される。メモリカード１１３は、フラッシュメモリ等により構成される、カメラ本体３０に対して着脱可能なフラッシュメモリ等の不揮発性メモリである。
【００２０】
画像処理回路１０９は、記録用に処理する画像データに並行して、表示用の画像データを逐次生成する。背面表示制御部１１４は、逐次生成された表示用の画像データの画像を、ライブビュー画像として背面モニタ３１に表示させる。また、背面表示制御部１１４は、カメラ１０の各種設定に関する様々なメニュー項目を背面モニタ３１に表示させる。上面表示制御部１１５は、シャッタスピード、絞り値、ＩＳＯ感度等の撮影情報を上面モニタ３２に表示させる。
【００２１】
システムメモリ１１６は、ＥＥＰＲＯＭ（登録商標）等の電気的に消去・記録可能な不揮発性メモリにより構成され、カメラ１０の動作時に必要な定数、変数、プログラム等を記録している。タイマー１１７は、システム制御部１００の制御の下、計時動作を実行する。電池１１８は、カメラに１０に対して着脱可能な２次電池で構成され、システム制御部１００へ電力を供給する。外部インターフェース１１９は、外部の機器と有線または無線で接続して、データ通信を実行する。
【００２２】
位相差ＡＦ回路１２１は、位相差ＡＦ素子１２０の出力に応じて位相差信号を生成する。コントラストＡＦ回路１２２は、撮像素子１０８の出力に応じてＡＦ評価関数を演算する。照射装置駆動回路１２４は、システム制御部１００の制御の下、ＡＦ動作時にカメラ本体３０の前面に設けられたＡＦエリア照射装置１２３を駆動する。測光装置１２５は、光学ファインダの近傍に設けられ、被写体の明るさを検知する。
【００２３】
各操作部材には、システム制御部１００がユーザの操作を判断するためのスイッチが設けられている。レリーズボタン３３は、押下げ方向に２段階に検知できるボタンであり、１段階目の押下を検知するスイッチＳＷ１と、２段階目の押下を検知するスイッチＳＷ２とを備える。撮影モードダイヤル３４は、複数の中から選択された一つの撮影モードを検知するスイッチＳＷ３を備える。ズームレバー３５は、広角側への指示を検知するスイッチＳＷ４と、望遠側への指示を検知するスイッチＳＷ５とを備える。
【００２４】
マルチセレクタ３６は、上ボタン、下ボタン、左ボタン、右ボタンの押下をそれぞれ検知するスイッチＳＷ６、ＳＷ７、ＳＷ８、ＳＷ９、および決定ボタンの押下を検知するスイッチＳＷ１０を備える。電源スイッチ３７は、オン位置への操作を検知するスイッチＳＷ１１を備える。再生ボタン３８、削除ボタン３９、メニューボタン４０は、ユーザによる押下を検知するスイッチＳＷ１２、１３、１４をそれぞれ備える。
【００２５】
拡大ボタン４１、縮小ボタン４２、補助線ボタン４３、拡大記憶ボタン４４は、ユーザによる押下を検知するスイッチＳＷ１５、ＳＷ１６、ＳＷ１７、ＳＷ１８をそれぞれ備える。背面コマンドダイヤル４５は、時計回りの操作を検知するスイッチＳＷ１９、反時計回りの操作を検知するスイッチＳＷ２０を備える。同様に、前面コマンドダイヤル４６は、時計回りの操作を検知するスイッチＳＷ２０、反時計回りの操作を検知するスイッチＳＷ２１を備える。
【００２６】
図３は、背面モニタ３１に表示されているライブビュー画像に対する補助線の表示処理を説明する図である。ユーザが建築物にカメラ１０を向けると、背面表示制御部１１４は、図３（ａ）に示すように、ライブビュー画像２００を背面モニタ３１に表示させる。そして、背面表示制御部１１４は、補助線ボタン４３が押されると、図３（ｂ）に示すように、水平補助線群２１０および垂直補助線群２２０を、ライブビュー画像２００に重畳表示させる。
【００２７】
本実施形態において、カメラ１０の電源をオンにしたときの状態であるデフォルト状態では、水平補助線群２１０には、３本の水平補助線２１１、２１２、２１３が含まれる。３本の水平補助線２１１〜２１３は、等間隔に配置されている。そして、中央の水平補助線２１２は、画面中心を通過するように配置されている。同様に、デフォルト状態では、垂直補助線群２２０には、５本の垂直補助線２２１、２２２、２２３、２２４、２２５が含まれる。５本の垂直補助線２２１〜２２５は、等間隔に配置されている。また、中央の垂直補助線２２３は、画面中心を通過するように配置されている。
【００２８】
なお、ユーザが、補助線表示の有無を設定画面で設定できるようにしてもよい。また、ユーザが、デフォルト状態における水平補助線の本数、位置を設定画面で予め設定できるようにしてもよい。同様に、ユーザが、デフォルト状態における垂直補助線の本数、位置を設定画面で予め設定できるようにしてもよい。
【００２９】
図４は、補助線の表示態様の切替処理を説明する図である。本実施形態においては、背面表示制御部１１４は、補助線の本数、太さ、透明度を切り替える。まず、補助線の本数の切替処理について説明する。図３（ｂ）で示したデフォルト状態の表示画面でユーザが補助線ボタン４３を押しながら前面コマンドダイヤル４６を時計回りに回転すると、背面表示制御部１１４は、図４（ａ）に示すように、補助線の本数をデフォルト状態から増加させる。水平補助線群２３０には、水平補助線群２１０より多い５本の水平補助線２３１、２３２、２３３、２３４、２３５が含まれる。また、垂直補助線群２４０には、垂直補助線群２２０より多い７本の垂直補助線２４１、２４２、２４３、２４４、２４５、２４６、２４７が含まれる。
【００３０】
そして、図４（ａ）で示した表示画面でユーザが補助線ボタン４３を押しながら前面コマンドダイヤル４６を再度時計回りに回転すると、背面表示制御部１１４は、補助線の本数をデフォルト状態に戻す。このように、ユーザが補助線ボタン４３を押しながら前面コマンドダイヤル４６を時計回りに回転すると、背面表示制御部１１４は、デフォルト状態と、デフォルト状態より補助線の本数を増加した増加状態とを交互に切り替える。また、ユーザが補助線ボタン４３を押しながら前面コマンドダイヤル４６を反時計回りに回転すると、背面表示制御部１１４は、デフォルト状態と、デフォルト状態より補助線の本数を減少した減少状態とを交互に切り替える。
【００３１】
次に、補助線の太さの切替処理について説明する。図３（ｂ）で示したデフォルト状態の表示画面でユーザが補助線ボタン４３を押しながら背面コマンドダイヤル４５を反時計回りに回転すると、背面表示制御部１１４は、図４（ｂ）に示すように、各補助線を太くする。そして、図４（ｂ）で示した表示画面でユーザが補助線ボタン４３を押しながら背面コマンドダイヤル４５を再度反時計回りに回転すると、背面表示制御部１１４は、各補助線の太さをデフォルト状態に戻す。このように、ユーザが補助線ボタン４３を押しながら背面コマンドダイヤル４５を反時計回りに回転すると、背面表示制御部１１４は、デフォルト状態と、デフォルト状態より補助線を太くした太線状態とを交互に切り替える。
【００３２】
次に、補助線の透明度の切替処理について説明する。図３（ｂ）で示したデフォルト状態の表示画面でユーザが補助線ボタン４３を押しながら背面コマンドダイヤル４５を時計回りに回転すると、背面表示制御部１１４は、図４（ｃ）に示すように、各補助線を半透過状態にする。そして、図４（ｃ）で示した表示画面でユーザが補助線ボタン４３を押しながら背面コマンドダイヤル４５を再度時計回りに回転すると、背面表示制御部１１４は、各補助線をデフォルト状態である非透過状態に戻す。このように、ユーザが補助線ボタン４３を押しながら背面コマンドダイヤル４５を時計回りに回転すると、背面表示制御部１１４は、デフォルト状態である非透過状態と、半透過状態とを交互に切り替える。
【００３３】
このように補助線の表示態様を切り替え可能にすることにより、ユーザは、被写体に応じて、構図の水平、垂直を決定し易い補助線表示に変更することができる。なお、切り替え可能な補助線の表示態様として本数、太さ、透明度を説明したが、これに限らず、補助線の色、線種が切り替えられてもよい。また、ユーザが背面コマンドダイヤル４５および前面コマンドダイヤル４６で切り替える補助線の表示態様を設定画面で設定できるようにしてもよい。
【００３４】
図５は、補助線の移動処理を説明する図である。ユーザが補助線ボタン４３を押しながら補助線を移動したい方向をマルチセレクタ３６の十字ボタンで指定することで、補助線の移動処理が実行される。例えば、図３（ｂ）で示したデフォルト状態の表示画面でユーザが補助線ボタン４３を押しながらマルチセレクタ３６の左ボタンを押すと、背面表示制御部１１４は、図５（ａ）で示すように、垂直補助線群２２０を左へ移動させる。また、背面表示制御部１１４は、垂直補助線群２２０に垂直補助線２２６を追加し、垂直補助線を等間隔に保つ。このとき、背面表示制御部１１４は、垂直補助線群２２０の表示態様をデフォルト位置での表示態様から変更する。本実施形態では、垂直補助線群２２０の線種が実線から破線に変更される。この構成により、ユーザは、被写体を中央に対して左右シンメトリに配置する場合に、基準となる垂直補助線２２３がデフォルト位置である画面中央から移動されたか否かを容易に判別することができる。
【００３５】
図３（ｂ）で示したデフォルト状態の表示画面でユーザが補助線ボタン４３を押しながらマルチセレクタ３６の上ボタンを押すと、背面表示制御部１１４は、図５（ｂ）で示すように、水平補助線群２１０を上へ移動させる。また、背面表示制御部１１４は、水平補助線群２１０に水平補助線２１４を追加し、水平補助線を等間隔に保つ。このとき、背面表示制御部１１４は、水平補助線群２１０の表示態様をデフォルト位置での表示態様から変更する。本実施形態では、水平補助線群２１０の線種が実線から破線に変更される。この構成により、ユーザは、被写体を中央に対して上下シンメトリに配置する場合に、基準となる水平補助線２１２がデフォルト位置である画面中央から移動されたか否かを容易に判別することができる。
【００３６】
図５（ｂ）で示した表示画面でユーザが補助線ボタン４３を押しながらマルチセレクタ３６の左ボタンを押すと、背面表示制御部１１４は、図５（ｃ）で示すように、垂直補助線群２２０を左へ移動させる。また、背面表示制御部１１４は、垂直補助線群２２０に垂直補助線２２６を追加し、垂直補助線を等間隔に保つ。このとき、背面表示制御部１１４は、垂直補助線群２２０の表示態様をデフォルト位置での表示態様から変更する。また、背面表示制御部１１４は、水平補助線群２１０の表示態様と異なるように垂直補助線群２２０の表示態様を変更する。本実施形態では、垂直補助線群２２０の線種が実線から点線に変更される。
【００３７】
このように補助線の移動を可能にすることにより、ユーザは、被写体のラインに補助線をあわせて構図の水平、垂直を正しく判断することができる。なお、水平補助線群２１０、垂直補助線群２２０が移動された状態でユーザがマルチセレクタ３６の決定ボタンを押すと、背面表示制御部１１４は、移動された水平補助線群２１０、垂直補助線群２２０の位置、表示態様を図３（ｂ）に示すデフォルト状態に戻してもよい。また、水平補助線群２１０および垂直補助線群２２０がデフォルト位置から移動された場合に線種が変更されたが、これに限らず、補助線の色、太さ等の他の表示態様が変更されてもよい。
【００３８】
ユーザは、上述した図４の機能および図５の機能を組み合わせて被写体に対して最適化した補助線をライブビュー画像に重畳表示させることができる。例えば、ユーザは、建築物を撮影する場合に、補助線の本数をデフォルト状態の本数、太さをデフォルト状態より太くした太線状態、透明度を半透明状態に設定して、建築物のライブビュー画像に対して補助線を見易く調整する。そして、ユーザは、水平補助線を建築物の横線にほぼ一致させてから、カメラ１０の角度を調整することにより、構図の水平を容易に判断することができる。また、ユーザは、垂直補助線群を移動させずに画面中央を通過する垂直補助線を基準にして構図をとることにより、被写体である建築物を撮影範囲内で左右対称に配置することができる。
【００３９】
図６は、ライブビュー画像および補助線の拡大表示処理を説明する図である。本実施形態においては、拡大ボタン４１および縮小ボタン４２が、表示倍率を変更する変更指示を受け付ける受付部としての機能を担う。そして、画像処理回路１０９および背面表示制御部１１４が、拡大ボタン４１および縮小ボタン４２の操作に応じて拡大表示処理を実行する。
【００４０】
まず、画像処理回路１０９は、撮像素子１０８の出力を間引いて、視野率が１００％となる表示用の画像データを逐次生成する。背面表示制御部１１４は、この表示用の画像データの画像を、等倍のライブビュー画像として背面モニタ３１に表示させる。すなわち、視野率１００％で表示した表示画像を、等倍の表示画像とする。
【００４１】
ユーザが拡大ボタン４１を押すと、画像処理回路１０９は、拡大ボタン４１の押下の回数に応じて、表示画像に対する変更倍率を決定する。本実施形態において、画像処理回路１０９は、拡大ボタン４１がｎ回押されると、２のｎ乗を変更倍率として決定する。そして、画像処理回路１０９は、変更倍率に応じて、表示画像の一部の領域を拡大領域として決定する。画像処理回路１０９は、撮像素子１０８の出力のうち拡大領域に対応する領域からの出力を間引いて、拡大領域に対応する表示用の画像データを逐次生成する。背面表示制御部１１４は、当該表示用の画像データの画像を、拡大されたライブビュー画像として背面モニタ３１に表示させる。なお、以下の説明において、単に「ライブビュー画像」と称した場合、当該「ライブビュー画像」は、「等倍のライブビュー画像」および「拡大されたライブビュー画像」の双方を含む。
【００４２】
拡大した後にユーザが縮小ボタン４２を押すと、画像処理回路１０９は、上述した表示画像の拡大処理の手順とは逆に、縮小ボタン４２の押下の回数に応じて表示画像の縮小処理を行う。ただし、画像処理回路１０９は、表示画像が等倍まで縮小された後においては、縮小ボタン４２の押下を受け付けても縮小処理を実行せずに視野率が１００％となる表示用の画像データを生成する。
【００４３】
画像処理回路１０９は、マルチセレクタ３６の十字ボタンが押された方向、押された時間に応じて、拡大領域の位置を移動する。例えば、画像処理回路１０９は、マルチセレクタ３６の上ボタンが押されると、押下継続時間に応じて予め定められたスクロール量だけ拡大領域を上に移動する。拡大領域は、等倍の表示画像の領域内で移動させることができる。そして、画像処理回路１０９は、移動後の拡大領域に対応する表示用の画像データを逐次生成し、背面表示制御部１１４は、移動後の拡大領域に対応する表示用の画像データの画像を、拡大されたライブビュー画像として背面モニタ３１に表示させる。
【００４４】
ここで、水平補助線群２１０、垂直補助線群２２０が等倍のライブビュー画像２００に重畳表示された図６（ａ）の表示画面で、ユーザが拡大ボタン４１およびマルチセレクタ３６を操作して拡大領域２５０の拡大を指示する場合の処理について説明する。画像処理回路１０９は、拡大ボタン４１およびマルチセレクタ３６により拡大領域２５０の拡大指示が受け付けられると、上述のように、拡大領域２５０に対応する表示用の画像データを逐次生成する。背面表示制御部１１４は、拡大領域２５０に対応する、拡大されたライブビュー画像３００を背面モニタ３１に表示させる。
【００４５】
このとき、背面表示制御部１１４は、拡大領域２５０に含まれる水平補助線２１２および垂直補助線２２１をライブビュー画像３００に重畳表示させる。図６（ｂ）に示すように、背面表示制御部１１４は、ライブビュー画像２００と、重畳される水平補助線２１２および垂直補助線２２１との相対的な位置関係が維持されるように、水平補助線２１２および垂直補助線２２１をライブビュー画像３００に重畳表示する。以下にライブビュー画像および補助線の相対的な位置関係を維持した拡大表示処理について説明する。
【００４６】
図７は、ライブビュー画像および補助線の拡大表示処理における演算処理を説明する図である。メモリ１１１には、画像表示レイヤ４００の記憶領域および重畳表示レイヤ４１０の記憶領域が設けられている。画像表示レイヤ４００には、表示用の画像データが展開される。重畳表示レイヤ４１０には、画像表示レイヤ４００の画像に重畳する補助線等のオブジェクトのデータが展開される。
【００４７】
画像表示レイヤ４００および重畳表示レイヤ４１０において、背面モニタ３１の表示領域の左上頂点に対応する点を原点とした座標系が規定されている。当該座標系は、画面の右方向をｘ軸正方向、画面の下方向をｙ軸正方向とする。また、画像表示レイヤ４００および重畳表示レイヤ４１０において、背面モニタ３１の表示領域の右上頂点、左下頂点、右下頂点に対応する点は、それぞれ（Ｘ０，０）、（０，Ｙ０）、（Ｘ０，Ｙ０）と規定されている。そして、重畳表示レイヤ４１０上のオブジェクトは、同一の座標値を有する画像表示レイヤ４００上の画像に重畳表示される。
【００４８】
図７（ａ）は、上述の図６（ａ）の表示を構成するデータの説明図である。図７（ａ）に示すように、画像表示レイヤ４００には等倍のライブビュー画像２００のデータが展開され、重畳表示レイヤ４１０には、水平補助線群２１０および垂直補助線群２２０のデータが展開されている。デフォルト状態の水平補助線２１１〜２１３のｙ座標値Ｙ２１１、Ｙ２１２、Ｙ２１３は、システムメモリ１１６に予め記録されている。同様に、デフォルト状態の垂直補助線２２１〜２２５のｘ座標値Ｘ２２１、Ｘ２２２、Ｘ２２３、Ｘ２２４、Ｘ２２５は、システムメモリ１１６に予め記録されている。背面表示制御部１１４は、画像表示レイヤ４００のデータおよび重畳表示レイヤ４１０のデータを合成して、ライブビュー画像２００に水平補助線群２１０および垂直補助線群２２０を重畳した画像を背面モニタ３１に表示させる。
【００４９】
背面表示制御部１１４は、ライブビュー画像２００の拡大領域２５０の拡大指示が受け付けられると、重畳表示レイヤ４１０において拡大領域２５０に対応する対応領域４１１の各頂点の座標値を抽出する。図７（ｂ）に示すように、画像処理回路１０９は、対応領域４１１の左上頂点の座標値（Ｘａ，Ｙａ）、右上頂点の座標値（Ｘｂ，Ｙａ）、左下頂点の座標値（Ｘａ，Ｙｂ）、右下頂点の座標値（Ｘｂ，Ｙｂ）を抽出する。背面表示制御部１１４は、対応領域４１１のｘ座標の範囲内Ｘａ≦ｘ≦Ｘｂに存在する垂直補助線のｘ座標値を抽出する。本実施形態において、垂直補助線２２１のｘ座標値Ｘ２２１が抽出される。同様に、背面表示制御部１１４は、対応領域４１１のｙ座標の範囲内Ｙａ≦ｙ≦Ｙｂに存在する水平補助線のｙ座標値を抽出する。本実施形態において、水平補助線２１２のｙ座標値Ｙ２１２が抽出される。
【００５０】
ここで、対応領域４１１のｘ方向の長さに対する左上頂点から垂直補助線２２１までの距離の比は、（Ｘ２２１−Ｘａ）／（Ｘｂ−Ｘａ）である。一方、拡大領域２５０を拡大表示した場合の垂直補助線２２１のｘ座標値をＸ１とすると、拡大表示状態における重畳表示レイヤ４１０のｘ方向の長さに対する左上頂点から垂直補助線２２１までの距離の比は、Ｘ１／Ｘ０となる。これら距離の比が等しくなれば、すなわちＸ１／Ｘ０＝（Ｘ２２１−Ｘａ）／（Ｘｂ−Ｘａ）の関係式（１）を満たせば、拡大前後におけるライブビュー画像と垂直補助線２２１との相対的な位置関係は維持される。同様に、拡大領域２５０を拡大表示した場合の水平補助線２１２のｙ座標値をＹ１とした場合に、Ｙ１／Ｙ０＝（Ｙ２１２−Ｙａ）／（Ｙｂ−Ｙａ）の関係式（２）を満たせば、拡大前後におけるライブビュー画像と水平補助線２１２との相対的な位置関係は維持される。
【００５１】
背面表示制御部１１４は、上述の関係式（１）、（２）を用いて、垂直補助線２２１のｘ座標値Ｘ１、水平補助線２１２のｙ座標値Ｙ１を算出する。また、画像処理回路１０９は、上述した処理を実行して、拡大されたライブビュー画像３００の画像データを逐次生成する。そして、背面表示制御部１１４は、画像表示レイヤ４００および重畳表示レイヤ４１０にデータを展開する。
【００５２】
図７（ｃ）は、上述の図６（ｂ）の表示を構成するデータの説明図である。図７（ｃ）に示すように、背面表示制御部１１４は、ライブビュー画像３００の画像データを画像表示レイヤ４００に展開する。また、背面表示制御部１１４は、重畳表示レイヤ４１０の座標値Ｘ１に垂直補助線２２１を展開し、座標値Ｙ１に水平補助線２１２を展開する。そして、背面表示制御部１１４は、画像表示レイヤ４００のデータおよび重畳表示レイヤ４１０のデータを合成して、ライブビュー画像３００に水平補助線２１２および垂直補助線２２１を重畳した画像を背面モニタ３１に表示させる。
【００５３】
このようにライブビュー画像および補助線の相対的な位置関係を拡大前後で維持することにより、ユーザは、構図の水平、垂直を正しく判断することができる。例えば、ユーザは、等倍のライブビュー画像２００および拡大されたライブビュー画像３００の両画像で、水平補助線２１２と建築物の横線とを確認することにより、構図の水平を正しく判断することができる。
【００５４】
なお、拡大表示状態においてユーザが拡大記憶ボタン４４を押しながらマルチセレクタ３６の決定ボタンを押すと、システム制御部１００は、表示中の拡大画像の画像データを表示中の補助線の座標データと関連付けてシステムメモリ１１６に記録する。システムメモリ１１６には、予め定められた数の拡大画像、例えば３つの拡大画像の画像データを記録することができる。そして、ユーザが拡大記憶ボタン４４を押しながらマルチセレクタ３６の左右ボタンを操作すると、背面表示制御部１１４は、システムメモリ１１６に記録されている拡大画像および補助線を順に背面モニタ３１に表示させる。
【００５５】
この構成により、ユーザは、複数の拡大画像を確認して構図の水平、垂直を決定することができる。例えば、ユーザは、同一の水平補助線が重畳された、建築物の左側の拡大画像および右側の拡大画像をシステムメモリ１１６に記録指示し、両画像を確認して構図の水平、垂直を正しく判断することができる。
【００５６】
背面表示制御部１１４は、拡大表示状態における補助線の表示態様を等倍の表示画像における表示態様から変化させてもよい。例えば、背面表示制御部１１４は、図６（ｂ）における水平補助線２１２および垂直補助線２２１の色を、図６（ａ）における水平補助線２１２および垂直補助線２２１の色と異ならせる。変化させる補助線の表示態様として、色以外に、線の太さ、線種、透明度が一例として挙げられる。この構成により、ユーザは、補助線の形態を確認するだけで拡大表示状態であるか否かを容易に判断することができる。
【００５７】
拡大されたライブビュー画像において、ピントがあっておらず被写体のエッジラインがぼけてしまったり、暗い箇所が拡大されて被写体のエッジラインが観察し難くなったりする場合がある。そこで、画像処理回路１０９は、拡大指示が受け付けられた場合に、表示用の画像データの画像に対して視覚効果を生じさせる画像処理を施す。具体的には、画像処理回路１０９は、表示用の画像データの画像における被写体のエッジラインを強調する画像処理を施す。また、画像処理回路１０９は、表示用の画像データの画像を明るくする画像処理を施す。そして、背面表示制御部１１４は、視覚効果を生じさせる画像処理が施された画像データを用いて拡大されたライブビュー画像を背面モニタ３１に表示させる。この構成により、ユーザは、拡大されたライブビュー画像において被写体のエッジラインを容易に確認することができる。
【００５８】
図８は、拡大表示状態における補助線の移動処理を説明する図である。図５で説明した等倍のライブビュー画像における補助線の移動と同様に、拡大されたライブビュー画像においても補助線を移動させることができる。ここで、水平補助線２１２および垂直補助線２２１が拡大されたライブビュー画像３００に重畳表示された図８（ａ）の表示画面で、ユーザが補助線の移動を指示する場合想定する。ユーザが補助線ボタン４３を押しながらマルチセレクタ３６の上ボタンを押すと、背面表示制御部１１４は、水平補助線２１２を上方向に移動させる。そして、水平補助線２１２が建築物のエッジライン５００と一致した状態でユーザがボタン操作を止めると、図８（ｂ）に示すように、建築物のエッジライン５００上に水平補助線２１２が配置される。なお、背面表示制御部１１４は、水平補助線２１２をデフォルト位置から移動させると、図５の処理と同様に、水平補助線２１２の線種を破線に変更する。
【００５９】
そして、ユーザが縮小ボタン４２を操作して表示画像を等倍へ変更する指示を行うと、背面表示制御部１１４は、図８（ｃ）に示すように、上方向に移動された破線の水平補助線群２１０とデフォルト状態の垂直補助線群２２０とを、等倍のライブビュー画像２００に重畳表示させる。水平補助線群２１０は、拡大されたライブビュー画像３００と水平補助線２１２との相対的な位置関係が維持されるように、すなわち水平補助線２１２が建築物のエッジライン５００上に配置されるように上方向に移動されている。
【００６０】
水平補助線群２１０の移動量は、図７の説明で用いた関係式（２）を用いて算出される。具体的には、背面表示制御部１１４は、拡大表示状態での移動後の水平補助線２１２のｙ座標値Ｙ１を関係式（２）へ代入し、移動後の水平補助線２１２のｙ座標値Ｙ２１２を算出する。そして、背面表示制御部１１４は、算出した移動後の水平補助線２１２のｙ座標値Ｙ２１２からデフォルト状態の水平補助線２１２のｙ座標値Ｙ２１２を引くことにより、水平補助線群２１０の移動量を算出する。
【００６１】
このように拡大されたライブビュー画像で補助線の移動を可能にすることにより、ユーザは、補助線を被写体のラインに正確にあわせることができる。また、表示倍率の変更前後でライブビュー画像と補助線との相対的な位置関係が維持されることにより、ユーザは、構図の水平、垂直を正しく判断することができる。
【００６２】
なお、背面表示制御部１１４は、マルチセレクタ３６の十字ボタンの１回の操作で移動する補助線の移動量は、表示倍率に応じて変更してもよい。例えば、背面表示制御部１１４は、拡大されたライブビュー画像における１回の操作で移動する補助線の移動量を、等倍のライブビュー画像の場合よりも小さくする。この構成により、ユーザは、拡大ライブビュー画像で精度よく補助線を被写体のラインにあわせることができる。
【００６３】
図９は、本実施形態に係るカメラ１０の撮影処理のフロー図である。本フローは、システム制御部１００が電源スイッチ３７のオン操作を検知した場合に開始される。ステップＳ１０１では、システム制御部１００は、レンズ動作禁止フラグｆｇを０に設定する。ステップＳ１０２では、背面表示制御部１１４は、等倍のライブビュー画像を背面モニタ３１に表示させるとともに、補助線を当該ライブビュー画像に重畳表示させる。
【００６４】
ステップＳ１０３では、システム制御部１００は、拡大ボタン４１および縮小ボタン４２により、表示倍率を変更する変更指示を受け付けたか否かを判断する。システム制御部１００は、表示倍率を変更する変更指示を受け付けた場合にはステップＳ１０４へ移行し、表示倍率を変更する変更指示を受け付けていない場合にはステップＳ１０８へ移行する。ステップＳ１０４では、システム制御部１００は、ステップＳ１０３で受け付けた変更指示が等倍への変更指示であるか否かを判断する。
【００６５】
システム制御部１００は、ステップＳ１０３で受け付けた変更指示が等倍への変更指示でない場合には、ステップＳ１０５へ移行してレンズ動作禁止フラグｆｇを１に設定する。一方、システム制御部１００は、ステップＳ１０３で受け付けた変更指示が等倍への変更指示である場合には、ステップＳ１０６へ移行してレンズ動作禁止フラグｆｇを０に設定する。ステップＳ１０７では、背面表示制御部１１４は、図６〜８を用いて説明したように、変更前のライブビュー画像と補助線の相対的な位置関係を維持して、変更された表示倍率によるライブビュー画像と補助線とを背面モニタ３１に表示させる。なお、本実施形態において、「変更された表示倍率によるライブビュー画像」は、上述の「等倍のライブビュー画像」の場合と、上述の「拡大されたライブビュー画像」の場合がありうる。
【００６６】
ステップＳ１０８では、システム制御部１００は、補助線ボタン４３およびマルチセレクタ３６により、補助線の移動指示を受け付けたか否かを判断する。システム制御部１００は、補助線の移動指示を受け付けた場合にはステップＳ１０９へ移行し、補助線の移動指示を受け付けていない場合にはステップＳ１１０へ移行する。ステップＳ１０９では、背面表示制御部１１４は、図５、図８を用いて説明したように、補助線の移動指示に従って補助線の表示を変更する。
【００６７】
ステップＳ１１０では、システム制御部１００は、ズームレバー３５により、ズーム指示を受け付けたか否かを判断する。システム制御部１００は、ズーム指示を受け付けた場合にはステップＳ１１１へ移行し、ズーム指示を受け付けていない場合にはステップＳ１１４へ移行する。ステップＳ１１１では、システム制御部１００は、レンズ動作禁止フラグｆｇが０であるか否かを判断する。システム制御部１００は、レンズ動作禁止フラグｆｇが０である場合にはステップＳ１１２へ移行し、レンズ動作禁止フラグｆｇが１である場合にはステップＳ１１３へ移行する。
【００６８】
ステップＳ１１２では、システム制御部１００は、ズームレバー３５の操作に応じて、ズームレンズの駆動制御を実行する。一方、ステップＳ１１３では、システム制御部１００は、ズームレンズの駆動制御をせず、背面表示制御部１１４は、ズーム処理しない旨の注意喚起を背面モニタ３１に表示させる。すなわち、システム制御部１００は、拡大表示状態では、撮像素子１０８へ被写体像を結像させる光学系であるズームレンズの動作を禁止する撮影制御部として機能する。これにより、拡大表示状態での光学条件の変更を禁止することができる。
【００６９】
ステップＳ１１４では、システム制御部１００は、レリーズボタン３３のスイッチＳＷ１がオンになったか否かを判断する。システム制御部１００は、スイッチＳＷ１がオンになった場合にはステップＳ１１５へ移行し、スイッチＳＷ１がオフのままである場合にはステップＳ１２２へ移行する。ステップＳ１１５では、システム制御部１００は、レンズ動作禁止フラグｆｇが０であるか否かを判断する。システム制御部１００は、レンズ動作禁止フラグｆｇが０である場合にはステップＳ１１６へ移行し、レンズ動作禁止フラグｆｇが１である場合にはステップＳ１１７へ移行する。
【００７０】
ステップＳ１１６では、システム制御部１００は、ＡＦ機能を実行する。具体的には、システム制御部１００は、コントラストＡＦ回路１２２から出力されるＡＦ評価関数を用いて、コントラストが最も高くなる位置にフォーカスレンズを移動させる制御を実行する。一方、ステップＳ１１７では、システム制御部１００は、ＡＦ機能を実行せず、背面表示制御部１１４は、ＡＦを実行しない旨の注意喚起を背面モニタ３１に表示させる。すなわち、システム制御部１００は、拡大表示状態では、撮像素子１０８へ被写体像を結像させる光学系であるフォーカスレンズの動作を禁止する撮影制御部として機能する。これにより、拡大表示状態での光学条件の変更を禁止することができる。
【００７１】
ステップＳ１１８では、システム制御部１００は、ＡＥ機能を実行して適正露出値を算出し、適正露出値に応じた適正絞り値、シャッタ速度、ＩＳＯ感度を決定する。ステップＳ１１９では、システム制御部１００は、レリーズボタン３３のスイッチＳＷ２がオンになったか否かを判断する。システム制御部１００は、スイッチＳＷ２がオンになった場合にはステップＳ１２０へ移行する。一方、システム制御部１００は、スイッチＳＷ１がオンになってから予め定められた期間内、例えば５秒以内にスイッチＳＷ２がオンにならなかった場合にはステップＳ１２２へ移行する。
【００７２】
ステップＳ１２０では、システム制御部１００は、ステップＳ１１８で決定した適正絞り値に絞り込む駆動信号を絞り駆動回路１０３へ出力するとともに、ステップＳ１１８で決定したシャッタ速度で駆動させる駆動信号をシャッタ駆動回路１０７へ出力する。そして、システム制御部１００は、撮像素子１０８の出力を、ステップＳ１１８で決定したＩＳＯ感度に従って増幅する。
【００７３】
ステップＳ１２１では、画像処理回路１０９は、上述のように、撮像素子１０８の出力に応じて画像データを生成する。圧縮／伸長回路１１０は、上述のように、画像処理回路１０９が生成した画像データを規格化された画像フォーマットの画像データに変換する。そして、システム制御部１００は、圧縮／伸長回路１１０で圧縮処理された画像データをメモリカード１１３に記録する。ステップＳ１２２では、システム制御部１００は、電源スイッチ３７のオフ操作を検知したか否かを判断する。システム制御部１００は、電源スイッチ３７のオフ操作を検知していない場合にはステップＳ１０３へ戻り、電源スイッチ３７のオフ操作を検知した場合には本フローを終了する。
【００７４】
上述の実施形態において、ライブビュー画像と補助線との相対的な位置関係を維持して拡大表示が実行されると、補助線の本数が減少する。そこで、背面表示制御部１１４は、拡大表示状態において補助線の減少を補間する参考線を背面モニタ３１に表示させるようにしてもよい。以下に参考線の表示処理について説明する。
【００７５】
図１０は、参考線の第１の表示処理を説明する図である。水平補助線群２１０、垂直補助線群２２０が等倍のライブビュー画像２００に重畳表示された図１０（ａ）の表示画面で、ユーザが拡大ボタン４１およびマルチセレクタ３６を操作して拡大領域２５０の拡大を指示する。すると、背面表示制御部１１４は、図１０（ｂ）に示すように、拡大領域２５０に含まれる水平補助線２１２および垂直補助線２２１を、拡大されたライブビュー画像３００に重畳表示させる。また、背面表示制御部１１４は、水平参考線群６００および垂直参考線群６１０を、ライブビュー画像３００に重畳表示させる。
【００７６】
水平参考線群６００には、３本の水平参考線６０１、６０２、６０３が含まれる。水平補助線２１２および水平参考線６０１〜６０３は、等間隔に配置されている。また、垂直参考線群６１０には、５本の垂直参考線６１１、６１２、６１３、６１４、６１５が含まれる。垂直補助線２２１および垂直参考線６１１〜６１５は、等間隔に配置されている。背面表示制御部１１４は、水平参考線群６００、垂直参考線群６１０の表示態様を水平補助線２１２、垂直補助線２２１の表示態様と区別可能に異ならせる。本実施形態では、背面表示制御部１１４は、水平参考線群６００、垂直参考線群６１０の線の太さを水平補助線２１２より細くし、線種を一点鎖線にする。
【００７７】
なお、背面表示制御部１１４は、図１０（ｂ）の表示画面でさらに拡大指示を受け付けると、拡大前後において参考線の線数変化が予め定められた範囲内となるように参考線を背面モニタ３１に表示させる。例えば、背面表示制御部１１４は、拡大前の図１０（ｂ）の表示画面における参考線の本数を拡大後も維持する、すなわち線数変化をゼロにする。また、背面表示制御部１１４は、拡大前の画面の端の参考線を削除して参考線の本数を拡大前より１本減らしたり、拡大後の画面の端に参考線を１本追加したりしてもよい。すなわち、背面表示制御部１１４は、拡大前後において線数変化がプラスマイナス１本の範囲内となるように参考線を表示させる。
【００７８】
背面表示制御部１１４は、図１０（ｃ）に示すように、建築物のエッジライン５００上に破線の水平補助線２１２を配置する。また、背面表示制御部１１４は、水平補助線２１２の移動にあわせて水平参考線群６００を移動させる。そして、背面表示制御部１１４は、水平参考線６０１を削除するとともに水平参考線群６００に水平参考線６０４を追加し、水平補助線および水平参考線を等間隔に保つ。
【００７９】
図１０（ｃ）の表示画面でユーザが縮小ボタン４２を押して等倍の表示画像への変更を指示すると、背面表示制御部１１４は、図１０（ｄ）に示すように、水平参考線群６００および垂直参考線群６１０を消去する。そして、背面表示制御部１１４は、上方向に移動された破線の水平補助線群２１０とデフォルト状態の垂直補助線群２２０とを、等倍のライブビュー画像２００に重畳表示させる。水平補助線群２１０は、拡大水平補助線２１２が建築物のエッジライン５００上に配置されるように、上方向に移動される。
【００８０】
図１１は、参考線の第２の表示処理を説明する図である。上述の第１の表示処理では補助線の移動にあわせて参考線も移動したが、第２の表示処理では補助線が移動しても参考線の位置は変更されない。水平補助線群２１０、垂直補助線群２２０が等倍のライブビュー画像２００に重畳表示された図１１（ａ）の表示画面で、ユーザが拡大ボタン４１およびマルチセレクタ３６を操作して拡大領域２５０の拡大を指示する。すると、背面表示制御部１１４は、図１１（ｂ）に示すように、拡大領域２５０に含まれる水平補助線２１２および垂直補助線２２１を、拡大されたライブビュー画像３００に重畳表示させる。また、背面表示制御部１１４は、水平参考線群６２０および垂直参考線群６３０をライブビュー画像３００に重畳表示させる。
【００８１】
水平参考線群６２０には、３本の水平参考線６２１、６２２、６２３が含まれる。水平参考線６２１〜６２３は、それぞれデフォルト状態の水平補助線２１１〜２１３と同一の位置に配置されている。また、垂直参考線群６３０には、５本の垂直参考線６３１、６３２、６３３、６３４、６３５が含まれる。垂直参考線６３１〜６３５は、それぞれデフォルト状態の垂直補助線２２１〜２２５と同一の位置に配置されている。背面表示制御部１１４は、水平参考線群６２０、垂直参考線群６３０の表示態様を水平補助線２１２、垂直補助線２２１の表示態様と区別可能に異ならせる。本実施形態では、背面表示制御部１１４は、水平参考線群６２０、垂直参考線群６３０の線の太さを水平補助線２１２より細くし、線種を一点鎖線にする。
【００８２】
背面表示制御部１１４は、水平補助線２１２を建築物のエッジライン５００まで移動する指示を受け付けると、図１１（ｃ）に示すように、建築物のエッジライン５００上に破線の水平補助線２１２を配置する。一方、背面表示制御部１１４は、水平補助線２１２を移動しても、水平参考線群６２０の位置を変更しない。
【００８３】
図１１（ｃ）の表示画面でユーザが縮小ボタン４２を押して等倍の表示画像への変更を指示すると、背面表示制御部１１４は、図１１（ｄ）に示すように、水平参考線群６２０および垂直参考線群６３０を消去する。そして、背面表示制御部１１４は、上方向に移動された破線の水平補助線群２１０とデフォルト状態の垂直補助線群２２０とを、等倍のライブビュー画像２００に重畳表示させる。水平補助線群２１０は、拡大水平補助線２１２が建築物のエッジライン５００上に配置されるように、上方向に移動される。
【００８４】
図１０、図１１を用いて説明したように拡大表示状態において補助線とともに参考線を表示させることにより、ユーザは拡大表示状態において構図の水平、垂直を判断し易くなる。なお、図１０、図１１を用いて説明した参考線の表示処理は、図９のフロー図におけるステップＳ１０７、Ｓ１０９で実行される。
【００８５】
上述したように、ユーザは、建築物のエッジライン５００等の被写体のエッジラインに補助線をあわせて構図の水平、垂直を決定する。ここで、被写体のエッジラインに一致した補助線を跨いで合焦評価領域が設定されると、当該合焦評価領域で遠近競合が発生する。そこで、合焦制御部としての機能を担うシステム制御部１００は、補助線が合焦評価領域と交差した場合に合焦評価領域を変更して、当該合焦評価領域における遠近競合を回避する。以下に合焦評価領域の変更処理について説明する。
【００８６】
図１２は、合焦評価領域の変更処理を説明する図である。水平補助線群２１０、垂直補助線群２２０が等倍のライブビュー画像２００に重畳表示された図１２（ａ）の表示画面で、ユーザが拡大ボタン４１およびマルチセレクタ３６を操作して拡大領域２５０の拡大を指示する。このとき、拡大領域２５０内の建築物のエッジライン５００を跨ぐ位置に合焦評価領域が設定されている場合を想定する。図１２（ａ）に示すように、合焦評価領域の範囲を示す合焦評価領域マーク７００は、ライブビュー画像２００に重畳表示されている。背面表示制御部１１４は、拡大領域２５０の指定に応じて、図１２（ｂ）に示すように、拡大領域２５０に含まれる水平補助線２１２および垂直補助線２２１を、拡大されたライブビュー画像３００に重畳表示させる。また、背面表示制御部１１４は、合焦評価領域マーク７００をライブビュー画像３００に重畳表示させる。
【００８７】
その後、背面表示制御部１１４は、水平補助線２１２を建築物のエッジライン５００まで移動する指示を受け付けると、図１２（ｃ）に示すように、建築物のエッジライン５００上に破線の水平補助線２１２を配置する。移動後の水平補助線２１２は、合焦評価領域マーク７００で示される合焦評価領域を交差する。そこで、システム制御部１００は、水平補助線２１２を挟んだ上側の被写体および下側の被写体のうちカメラ１０に近い方の被写体を合焦対象と判断する。
【００８８】
具体的には、まず、システム制御部１００は、合焦評価領域すべてを垂直補助線より上に移動させてＡＦ動作を実行する。また、システム制御部１００は、合焦評価領域すべてを水平補助線２１２より下に移動させてＡＦ動作を実行する。次に、システム制御部１００は、当該ＡＦ動作の結果から、水平補助線２１２の上に存在する被写体および下に存在する被写体のうちカメラ１０に近い被写体を合焦対象と判断する。本実施形態において、システム制御部１００は、水平補助線２１２の下に存在する建築物を合焦対象と判断する。
【００８９】
そして、システム制御部１００は、水平補助線２１２が合焦評価領域と交差しないように、合焦評価領域を水平補助線２１２の下側に移動する。背面表示制御部１１４は、図１２（ｄ）に示すように、システム制御部１００が移動した合焦評価領域の位置に合焦評価領域マーク７００を配置する。
【００９０】
図１２（ｄ）の表示状態においてユーザが縮小ボタン４２を押して等倍の表示画像への変更を指示すると、背面表示制御部１１４は、図１２（ｅ）に示すように、上方向に移動された破線の水平補助線群２１０とデフォルト状態の垂直補助線群２２０とを、等倍のライブビュー画像２００に重畳表示させる。水平補助線群２１０は、水平補助線２１２が建築物のエッジライン５００に一致するように上方向に移動される。また、背面表示制御部１１４は、水平補助線２１２の下に移動された合焦評価領域を示す合焦評価領域マーク７００をライブビュー画像２００に重畳表示させる。
【００９１】
なお、システム制御部１００は、垂直補助線が焦点評価領域と交差した場合に、上述の処理と同様に、垂直補助線を挟んだ左側の被写体および右側の被写体のうちカメラ１０に近い方の被写体を合焦対象と判断して合焦評価領域を移動してもよい。また、システム制御部１００は、補助線が合焦評価領域と交差した場合に、当該補助線に対して当該合焦評価領域をいずれの方向に移動させるかの指示を、ユーザからを受け付けてもよい。
【００９２】
図１２を用いて説明した焦点評価領域の変更処理は、図９のフロー図におけるステップＳ１０９で実行される。なお、ステップＳ１０９において、システム制御部１００は、レンズ動作禁止フラグｆｇが１に設定されていても、フォーカスレンズを駆動して焦点評価領域の変更処理を実行する。
【００９３】
上述の実施形態では、複数の水平補助線および複数の垂直補助線が用いられたが、補助線の形態はこれに限らない。１本の水平補助線および１本の垂直補助線が上述の補助線表示処理に用いられてもよい。また、水平補助線のみ、あるいは垂直補助線のみが上述の補助線表示処理に用いられてもよい。
【００９４】
上述の実施形態では、カメラ１０の背面モニタ３１のライブビュー画像に補助線を重畳表示したがこれに限らない。覗き込み型の電子ビューファインダに対しても上述の補助線表示処理を適用し得る。ルーペ型の観察装置を取り付けて液晶モニタを覗き込むファインダに対しても上述の補助線表示処理を適用し得る。また、光学ファインダの透過型液晶パネルに上述の補助線表示処理を適用してもよい。
【００９５】
上述の実施形態において、受付部として機能する拡大ボタン４１および縮小ボタン４２、ならびに背面表示制御部１１４により表示制御装置が構成される。当該表示制御装置は、撮像素子を少なくとも一部として含む撮像部と別体で構成されてもよい。例えば、表示制御装置は、撮像部を含むカメラと接続可能なＰＣ等の電子機器に設けられ、カメラから送信されるライブビュー画像を機器の表示器に表示させるとともに上述の補助線表示処理を実行する。また、表示制御装置は、顕微鏡、望遠鏡に設けられてもよい。
【００９６】
また、上述の実施形態において、撮像装置としてレンズ交換式カメラを例に説明したが、これに限らない。レンズ光学系が一体的に構成されたコンパクトデジタルカメラ、ミラー機構がないミラーレスデジタルカメラ、ビデオカメラ、カメラ機能付き携帯電話、カメラ付き携帯ゲームなどの撮像装置であっても同様に本実施形態に係る概念を適用することができる。
【００９７】
以上、本発明を実施の形態を用いて説明したが、本発明の技術的範囲は上記の実施形態に記載の範囲には限定されない。上記の実施形態に、多様な変更または改良を加えることが可能であることが当業者に明らかである。その様な変更または改良を加えた形態も本発明の技術的範囲に含まれ得ることが、特許請求の範囲の記載から明らかである。
【００９８】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【符号の説明】
【００９９】
１０  カメラ、２０  交換レンズ、３０  カメラ本体、３１  背面モニタ、３２  上面モニタ、３３  レリーズボタン、３４  撮影モードダイヤル、３５  ズームレバー、３６  マルチセレクタ、３７  電源スイッチ、３８  再生ボタン、３９  削除ボタン、４０  メニューボタン、４１  拡大ボタン、４２  縮小ボタン、４３  補助線ボタン、４４  拡大記憶ボタン、４５  背面コマンドダイヤル、４６  前面コマンドダイヤル、１００  システム制御部、１０１  撮影レンズ、１０２  絞り機構、１０３  絞り駆動回路、１０４  ミラー機構、１０５  ミラー駆動回路、１０６  シャッタ、１０７  シャッタ駆動回路、１０８  撮像素子、１０９  画像処理回路、１１０  圧縮／伸長回路、１１１  メモリ、１１２  カードコネクタ、１１３  メモリカード、１１４  背面表示制御部、１１５  上面表示制御部、１１６  システムメモリ、１１７  タイマー、１１８  電池、１１９  外部インターフェース、１２０  位相差ＡＦ素子、１２１  位相差ＡＦ回路、１２２  コントラストＡＦ回路、１２３  ＡＦエリア照射装置、１２４  照射装置駆動回路、１２５  測光装置、２００  ライブビュー画像、２１０  水平補助線群、２１１、２１２、２１３、２１４  水平補助線、２２０  垂直補助線群、２２１、２２２、２２３、２２４、２２５、２２６  垂直補助線、２３０  水平補助線群、２３１、２３２、２３３、２３４、２３５  水平補助線、２４０  垂直補助線群、２４１、２４２、２４３、２４４、２４５、２４６、２４７  垂直補助線、２５０  拡大領域、３００  ライブビュー画像、４００  画像表示レイヤ、４１０  重畳表示レイヤ、４１１  対応領域、５００  エッジライン、６００  水平参考線群、６０１、６０２、６０３、６０４  水平参考線、６１０  垂直参考線群、６１１、６１２、６１３、６１４、６１５  垂直参考線、６２０  水平参考線群、６２１、６２２、６２３  水平参考線、６３０  垂直参考線群、６３１、６３２、６３３、６３４、６３５  垂直参考線、７００  合焦評価領域マーク
【図１】
2013090241.tif 000003
【図２】
2013090241.tif 000004
【図３】
2013090241.tif 000005
【図４】
2013090241.tif 000006
【図５】
2013090241.tif 000007
【図６】
2013090241.tif 000008
【図７】
2013090241.tif 000009
【図８】
2013090241.tif 000010
【図９】
2013090241.tif 000011
【図１０】
2013090241.tif 000012
【図１１】
2013090241.tif 000013
【図１２】
2013090241.tif 000014